(57)【要約】【課題】光源を増やすことなく、表示情報全体の明るさのムラを低減することができる表示装置を提供することができる。【解決手段】表示装置１０は、文字及び図柄の少なくとも一方を用いて構成された表示情報２０が透過表示されたベース層１８と、ベース層１８の下層に位置し、透過性を有する部材の一部にスモーク処理が施された第１のスモーク層３２と、を備えるラベル１２と、ラベル１２の下方に設けられた第３のＬＥＤ（光源）６４と、を備える表示装置１０であって、第１のスモーク層３２におけるスモーク処理の範囲は、平面視上、表示情報２０の一部と重なる範囲であって、第３のＬＥＤ（光源）６４の直上の範囲であることを特徴とする。【選択図】図６
2019144343.tif 000002
【特許請求の範囲】
【請求項１】
文字及び図柄の少なくとも一方を用いて構成された表示情報が透過表示されたベース層と、前記ベース層の下層に位置し、透過性を有する部材の一部にスモーク処理が施された第１のスモーク層と、を備えるラベルと、
前記ラベルの下方に設けられた光源と、を備える表示装置であって、
前記第１のスモーク層におけるスモーク処理の範囲は、平面視上、前記表示情報の一部と重なる範囲であって、前記光源の直上の範囲である表示装置。
【請求項２】
前記ラベルは、前記ベース層と前記第１のスモーク層との間に、前記光源の光を拡散させる拡散層を備える、請求項１に記載の表示装置。
【請求項３】
前記ラベルは、前記ベース層と前記拡散層との間に、平面視上、少なくとも前記表示情報と重なる範囲にスモーク処理が施された第２のスモーク層を備える請求項２に記載の表示装置。
【請求項４】
前記第１のスモーク層のスモーク処理が施されている範囲における、４４０ナノメートルから６３５ナノメートルの波長の透過率は、４４．１パーセントから４８．０パーセントの範囲内である請求項１から請求項３のいずれか一項に記載の表示装置。
【請求項５】
前記第１のスモーク層におけるスモーク処理の範囲は、平面視上、前記表示情報の表示範囲に対して、３４．５パーセントから５０パーセントの範囲内である請求項１から請求項４のいずれか一項に記載の表示装置。
【請求項６】
請求項１から請求項５のいずれか一項に記載の表示装置を備え、庫内に付着した霜を除去する除霜運転を行うことが可能な貯蔵庫であって、
前記表示装置は、前記除霜運転を行っている際に、前記光源を発光させる貯蔵庫。
【発明の詳細な説明】
【技術分野】
【０００１】
本発明は、表示装置、及び、貯蔵庫に関する。
【背景技術】
【０００２】
従来、表示装置として、例えば特許文献１に記載の操作パネルが知られている。特許文献１の操作パネルは、操作パネルの外殻を構成する操作パネル本体と、この操作パネル本体の開口部を塞ぐように設けられた透明スモーク樹脂からなるディスプレイカバーと、ディスプレイカバーの表面に設けられており、透過性を有するフィルムに表示情報が白抜きで印刷された印刷シートと、操作パネル本体の裏面側に設けられた発光源と、を備えている。印刷シートには、表示情報を覆うように、スモーク印刷が施されており、発光源が発光しているときは、表示情報が点灯し、表示情報が視認可能となる。一方、発光源が発光していないときは、表示情報が、スモーク印刷によりブラックアウトされ、視認できないようになっている。
【先行技術文献】
【特許文献】
【０００３】
【特許文献１】特開平７−９２９１７号公報
【発明の概要】
【発明が解決しようとする課題】
【０００４】
上記構成において、発光源の直上にある表示情報は明るく表示され、発光源から離れている表示情報は暗く表示されるため、表示情報全体の明るさにムラが生じるという問題がある。また、表示情報全体の明るさのムラを低減するには、発光源の数を増やす必要があるという問題がある。
【０００５】
本発明は上記のような事情に基づいて完成されたものであって、発光源の数を増やすことなく、表示情報全体を均一の明るさで表示可能な表示装置を提供することを目的とする。
【課題を解決するための手段】
【０００６】
上記課題を解決するために、本発明の表示装置は、文字及び図柄の少なくとも一方を用いて構成された表示情報が透過表示されたベース層と、前記ベース層の下層に位置し、透過性を有する部材の一部にスモーク処理が施された第１のスモーク層と、を備えるラベルと、前記ラベルの下方に設けられた光源と、を備える表示装置であって、前記第１のスモーク層におけるスモーク処理の範囲は、平面視上、前記表示情報の一部と重なる範囲であって、前記光源の直上の範囲であることを特徴とする。
【０００７】
第１のスモーク層のスモーク処理の範囲は、平面視上、表示情報の一部と重なる範囲であって、光源の直上の範囲となっているため、表示情報のうち、光源の直上にある表示情報の明るさが抑えられ、直上にない表示情報の明るさは抑えられることがない。これにより、光源の数を増やすことなく、表示情報の全体の明るさのムラを低減することができ、また極度の明るさ低減も生じることがなく、表示ムラと明るさのバランスがとれたものとなる。
【０００８】
また、前記ラベルは、前記ベース層と前記第１のスモーク層との間に、前記光源の光を拡散させる拡散層を備える構成としても良い。
【０００９】
拡散層を設けることで、光源の光が拡散されるため、表示情報の全体の明るさをより均一にすることができる。
【００１０】
前記ラベルは、前記ベース層と前記拡散層との間に、平面視上、少なくとも前記表示情報と重なる範囲にスモーク処理が施された第２のスモーク層を備える構成としても良い。
ベース層と拡散層との間に、第２のスモーク層を設けることで、光源が発光していない際に、ベース層の表示情報がブラックアウトされるため、表示情報を視認できなくさせることができる。
【００１１】
前記第１のスモーク層のスモーク処理が施されている範囲における、４４０ナノメートルから６３５ナノメートルの波長の透過率は、４４．１パーセントから４８．０パーセントの範囲内である構成としても良い。
【００１２】
第１のスモーク層の透過率を上記範囲内にすることで、表示情報の全体の明るさをより均一にすることができる。
【００１３】
前記第１のスモーク層におけるスモーク処理の範囲は、平面視上、前記表示情報の表示範囲に対して、３４．５パーセントから５０パーセントの範囲内である構成としても良い。
【００１４】
第１のスモーク層のスモーク処理の範囲を上記範囲内にすることで、表示情報の全体の明るさをより均一にすることができる。
【００１５】
請求項１から請求項５のいずれか一項に記載の表示装置を備え、庫内に付着した霜を除去する除霜運転を行うことが可能な貯蔵庫であって、前記表示装置は、前記除霜運転を行っている際に、前記光源を発光させる構成としても良い。
一般的に、除霜運転は所定の間隔で、一日に複数回行われることから、除霜運転を行っていることをユーザに知らせるため、頻繁に光源を発光させる必要がある。そこで、上記構成の表示装置を用いることで、光源の数を減らせることから、コスト削減に寄与することができ、また消費電力を抑えることもできる。
【発明の効果】
【００１６】
本発明によれば、光源を増やすことなく、表示情報全体の明るさのムラを低減することができる表示装置を提供することができる。
【図面の簡単な説明】
【００１７】
【図１】貯蔵庫の斜視図
【図２】表示装置の平面図
【図３】樹脂成型品の平面図
【図４】樹脂成型品の断面図
【図５】霜取中表示部の拡大図
【図６】図５におけるＡ−Ａ断面図
【図７】各層の分解斜視図
【図８】第１のスモーク層及び第２のスモーク層における、各波長に対する透過率の表
【発明を実施するための形態】
【００１８】
本実施形態の表示装置１０について、図１から図８を参照しつつ説明する。以降の説明では、図１のＸ方向を前方、図２のＺ方向を上方、Ｙ方向を右方とする。
【００１９】
表示装置１０は、図１に示すように、除霜運転を行うことが可能な貯蔵庫１に使用されるものであって、図４に示すように、内部に電子基板５６が収容された箱状の樹脂成型品４４の上面に、図２に示すラベル１２が貼られた構成となっている。
【００２０】
ラベル１２は、図６に示すように、複数の層から構成されており、ベース層１８と、ベース層の下層に設けられた第１のスモーク層３２と、第１のスモーク層３２の下層に設けられた拡散層３４と、拡散層３４の下層に設けられた第２のスモーク層３６と、を備えている。
【００２１】
ベース層１８は、図７に示すように、透明フィルムに、隠蔽性を有する黒インクによって表示情報２０を地抜き印刷することで形成されており、表示情報２０が透過表示されている。
【００２２】
表示情報２０は、図２に示すように、貯蔵庫１の点検中であることをユーザに知らせる点検表示部２２と、フィルター交換が必要であることをユーザに知らせるフィルター表示部２４と、貯蔵庫１が除霜運転中であることをユーザに知らせる霜取中表示部２６と、エコ運転中であることをユーザに知らせるＥＣＯ表示部２８と、から構成されている。ＥＣＯ表示部２８は、「ＥＣＯ」の文字と、「ＥＣＯ」の文字の左右両端から、左右方向に延びるグラデーション表示部３０と、から構成されている。
【００２３】
第１のスモーク層３２は、図７に示すように、透明フィルムにスモーク印刷を施すことにより形成されている。スモーク印刷の範囲は、平面視上、表示情報２０と重なる範囲に設けられている。第１のスモーク層３２の、４４０ナノメートルから６３５ナノメートルの範囲における波長の透過率は、図８に示すように、４４．１パーセントから４８．０パーセントの範囲となっている。
【００２４】
拡散層３４は、透明フィルムに、光拡散印刷を施すことにより形成されている。拡散印刷の範囲は、平面視上、表示情報２０と重なる範囲に設けられている。これにより、拡散層３４を透過する光は、層内で拡散される。
【００２５】
第２のスモーク層３６は、透明フィルムの一部にスモーク印刷を施すことにより形成されている。第２のスモーク層３６には、図２に示すように、第１のスモーク処理部３８、及び、第２のスモーク処理部４０の２箇所にスモーク印刷が施されている。第１のスモーク処理部３８、及び、第２のスモーク処理部４０の透過率は、第１のスモーク層３２の透過率と同じ透過率となっており、図８に示す値となっている。
【００２６】
ベース層１８の上面には、図６に示すように、透明のラベル基材１６が設けられており、ラベル基材１６の上面には、ラベル基材１６の艶を消す艶消し層１４が設けられている。また、第２のスモーク層３６の下面には、接着剤層４２が設けられており、接着剤層４２により、ラベル１２と、樹脂成型品４４の上面とは、接着される。
【００２７】
樹脂成型品４４の上面には、図３に示すように、ラベル１２の点検表示部２２と対応する位置に開口する第１の開口部４６と、フィルター表示部２４と対応する位置に開口する第２の開口部４８と、霜取中表示部２６と対応する位置に開口する第３の開口部５０と、ＥＣＯ表示部２８と対応する位置に開口する第４の開口部５４と、が設けられている。
【００２８】
電子基板５６は、図４に示すように、樹脂成型品４４内の底部に固定されており、電子基板５６には、図３に示すように、複数のＬＥＤ（Ｌｉｇｈｔ  Ｅｍｉｔｔｉｎｇ  Ｄｉｏｄｅ）５８が設けられている。電子基板５６は貯蔵庫１の制御部と接続されており、制御部からの制御信号により、ＬＥＤ５８は発光可能となっている。
【００２９】
ＬＥＤ５８は、第１の開口部４６の下方に配され、点検表示部２２を点灯させる第１のＬＥＤ６０と、第２の開口部４８の下方に配され、点検表示部２２を点灯させる第２のＬＥＤ６２と、第３の開口部５０の下方に配され、霜取中表示部２６を点灯させる第３のＬＥＤ６４と、第４の開口部５４の下方に配され、ＥＣＯ表示部２８を点灯させる第４のＬＥＤ６６と、から構成されている。ここで、ＬＥＤ５８とラベル１２との間の長さは、８ｍｍとなっている。
【００３０】
第３の開口部５０の内部は、図５、図６に示すように、周壁５２により囲まれており、周壁５２によって、第３のＬＥＤ６４の光が、他のＬＥＤ５８の光と干渉することを抑制している。第１の開口部４６、第２の開口部４８、及び、第４の開口部５４についても、同様の構造となっている。
【００３１】
第１のＬＥＤ６０は、発光色が赤のＬＥＤであって、図２、図３に示すように、左右方向に所定の間隔を空けて２つ配されている。また、第２のＬＥＤ６２は、発光色がオレンジのＬＥＤであって、左右方向に所定の間隔を２つ空けて配されている。
【００３２】
第３のＬＥＤ６４は、発光色がピュアグリーンのＬＥＤであって、第３の開口部５０内の中心位置に１つ配されている。ピュアグリーンの発光色を持つ第３のＬＥＤ６４は、一般的に、赤色の発光色を持つ第１のＬＥＤ６０、及び、オレンジ色の発光色を持つ第２のＬＥＤ６２と比較して、高価なＬＥＤとなっている。
【００３３】
第４のＬＥＤ６６は、第３のＬＥＤ６４と同様に、発光色がピュアグリーンのＬＥＤであって、平面視上、ＥＣＯ表示部２８の「Ｅ」の文字、及び、「Ｏ」の文字と重なる位置にそれぞれ配されている。
【００３４】
図５を用いて、霜取中表示部２６の形成範囲に対する、第２のスモーク層３６の第１のスモーク処理部３８の範囲について説明する。
霜取中表示部２６の形成範囲は、第３の開口部５０の開口面積と等しい範囲となっており、左右方向の長さＷ１、上下方向の長さＨ１とすると、長さＷ１は２５ｍｍ、長さＨ１は８ｍｍとなっている。
【００３５】
第１のスモーク処理部３８は、平面視上、第３のＬＥＤ６４と重なる範囲であって、霜取中表示部２６の中心の２文字である「霜取」と重なる範囲に設けられている。第１のスモーク処理部３８の範囲は、左右方向の長さＷ２、上下方向の長さＨ２とすると、長さＷ２は１１．５ｍｍから１２．５ｍｍの範囲内であり、長さＨ２は６ｍｍから８ｍｍの範囲内にある。このとき、霜取中表示部２６の表示範囲に対する、第２のスモーク層３６の第１のスモーク処理部３８が占める範囲は、
（１１．５ｍｍ×６ｍｍ）÷（２５ｍｍ×８ｍｍ）＝０．３４５
（１２．５ｍｍ×８ｍｍ）÷（２５ｍｍ×８ｍｍ）＝０．５
となっている。このように、第１のスモーク処理部３８は、平面視上、第３のＬＥＤ６４を中心として、霜取中表示部２６の形成範囲に対して、３４．５パーセントから５０パーセントの範囲に形成されている。
【００３６】
第２のスモーク層３６の第２のスモーク処理部４０は、図２に示すように、平面視上、第４のＬＥＤ６６と重なる範囲であって、ＥＣＯ表示部２８の「ＥＣＯ」の文字と重なる範囲に設けられている。
【００３７】
全てのＬＥＤ５８が発光していない状態では、ベース層１８に設けられた第１のスモーク層３２によって、表示情報２０は、ブラックアウトされ外部から視認されないようになっている。
【００３８】
第１のＬＥＤ６０が発光すると、第１のＬＥＤ６０の光は、拡散層３４によって拡散され、第１のスモーク層３２によって図８に示す透過率で透過する。さらに、ベース層１８の点検表示部２２を透過することで、点検表示部２２は、赤く点灯する。この時、第１のＬＥＤ６０は２つ配されていることから、点検表示部２２の明るさは、部位によってムラが生じることなく、全体として均一の明るさとなる。同様に、第２のＬＥＤ６２が発光すると、フィルター表示部２４全体が、均一の明るさでオレンジ色に点灯する。
【００３９】
第３のＬＥＤ６４が発光すると、第３のＬＥＤ６４の光は、第２のスモーク層３６を透過する。ここで、第２のスモーク層３６を透過する光のうち、第３のＬＥＤ６４の直上に配された第１のスモーク処理部３８を透過する光は、図８に示す透過率で透過する一方、第１のスモーク処理部３８の範囲外を透過する光は、全て透過する。第２のスモーク層３６を透過した光は、拡散層３４、第１のスモーク層３２、及び、ベース層１８の霜取中表示部２６を透過し、霜取中表示部２６は、ピュアグリーン色に点灯する。このように、第３のＬＥＤ６４の直上に第１のスモーク処理部３８を設けることで、平面視上、第１のスモーク処理部３８と重なる「霜取」の部分が極端に明るくなることが抑制され、霜取中表示部２６の全体の明るさのムラが低減される。これにより、第３のＬＥＤ６４を複数設けることなく、霜取中表示部２６を均一の明るさで点灯させることができるため、第３のＬＥＤ６４の削減によって、コスト削減に寄与することができる。また、貯蔵庫１が除霜運転を行う際、貯蔵庫１の制御部は、第３のＬＥＤ６４を発光させるが、一般的に、除霜運転は、所定の間隔で、１日に複数回行われることから、第３のＬＥＤ６４の数が削減されることで、貯蔵庫１の消費電力を抑えることができる。
【００４０】
第４のＬＥＤ６６が発光すると、第４のＬＥＤ６６の光は、第２のスモーク層３６を透過する。ここで、第２のスモーク層３６を透過する光のうち、第４のＬＥＤ６６の直上に配された第２のスモーク処理部４０を透過する光は、図８に示す透過率で透過する一方、第１のスモーク処理部３８の範囲外を透過する光は、全て透過する。第２のスモーク層３６を透過した光は、拡散層３４、第１のスモーク層３２、及び、ベース層１８のＥＣＯ表示部２８を透過し、ＥＣＯ表示部２８は、ピュアグリーン色に点灯する。このとき、ＥＣＯ表示部２８のグラデーション表示部３０は、中央の「ＥＣＯ」の文字から左右方向に離れるほど暗くなるグラデーションがかかって点灯する。
【００４１】
本実施形態によれば、以下の作用、効果を奏する。
本実施形態の表示装置１０は、文字及び図柄の少なくとも一方を用いて構成された表示情報２０が透過表示されたベース層１８と、ベース層１８の下層に位置し、透過性を有する部材の一部にスモーク処理が施された第１のスモーク層３２と、を備えるラベル１２と、ラベル１２の下方に設けられた第３のＬＥＤ（光源）６４と、を備える表示装置１０であって、第１のスモーク層３２におけるスモーク処理の範囲は、平面視上、表示情報２０の一部と重なる範囲であって、第３のＬＥＤ（光源）６４の直上の範囲であることを特徴とする。
【００４２】
本実施形態によれば、第１のスモーク層３２のスモーク処理の範囲は、平面視上、表示情報２０の一部と重なる範囲であって、第３のＬＥＤ（光源）６４の直上の範囲となっているため、表示情報のうち、第３のＬＥＤ（光源）６４の直上にある表示情報２０の明るさが抑えられ、直上にない表示情報２０の明るさは抑えられることがない。これにより、第３のＬＥＤ（光源）６４の数を増やすことなく、表示情報２０の全体の明るさのムラを低減することができ、また極度の明るさ低減も生じることがなく、表示ムラと明るさのバランスがとれたものとなる。
【００４３】
また、ラベル１２は、ベース層１８と第１のスモーク層３２との間に、第３のＬＥＤ（光源）６４の光を拡散させる拡散層３４を備える構成としても良い。
【００４４】
拡散層３４を設けることで、第３のＬＥＤ（光源）６４の光が拡散されるため、表示情報２０の全体の明るさをより均一にすることができる。
【００４５】
また、ラベル１２は、ベース層１８と拡散層３４との間に、平面視上、少なくとも表示情報２０と重なる範囲にスモーク処理が施された第２のスモーク層３６を備える構成としても良い。
【００４６】
ベース層１８と拡散層３４との間に、第２のスモーク層３６を設けることで、第３のＬＥＤ（光源）６４が発光していない際に、ベース層１８の表示情報がブラックアウトされるため、表示情報２０を視認できなくさせることができる。
【００４７】
また、第１のスモーク層３２のスモーク処理が施されている範囲における、４４０ナノメートルから６３５ナノメートルの波長の透過率は、４４．１パーセントから４８．０パーセントの範囲内である構成としても良い。
【００４８】
第１のスモーク層３２の透過率を上記範囲内にすることで、表示情報２０の全体の明るさをより均一にすることができる。
【００４９】
また、第１のスモーク層３２におけるスモーク処理の範囲は、平面視上、表示情報２０の表示範囲に対して、３４．５パーセントから５０パーセントの範囲内である構成としても良い。
【００５０】
第１のスモーク層３２のスモーク処理の範囲を上記範囲内にすることで、表示情報２０の全体の明るさをより均一にすることができる。
【００５１】
また、表示装置１０を備え、庫内に付着した霜を除去する除霜運転を行うことが可能な貯蔵庫１であって、表示装置１０は、除霜運転を行っている際に、第３のＬＥＤ（光源）６４を発光させる構成としても良い。
【００５２】
一般的に、除霜運転は所定の間隔で、一日に複数回行われることから、除霜運転を行っていることをユーザに知らせるため、頻繁に第３のＬＥＤ（光源）６４を発光させる必要がある。そこで、上記構成の表示装置１０を用いることで、第３のＬＥＤ（光源）６４の数を減らせることから、コスト削減に寄与することができ、また消費電力を抑えることもできる。
【００５３】
＜他の実施形態＞
本発明は上記記述及び図面によって説明した実施形態に限定されるものではなく、例えば次のような実施形態も本発明の技術的範囲に含まれる。
（１）本実施形態では、第３のＬＥＤ６４は、ピュアグリーンの発光色のＬＥＤである構成としたが、その他の発光色のＬＥＤであっても良いし、また、豆電球等のＬＥＤ以外の光源を用いても良い。
（２）本実施形態の表示装置１０は、貯蔵庫１に用いられることとしたが、貯蔵庫１以外の製品（例えば、温冷カート等）に適用しても良い。
【符号の説明】
【００５４】
１…貯蔵庫
１０…表示装置
１２…ラベル
１８…ベース層
２０…表示情報
３２…第１のスモーク層
３４…拡散層
３６…第２のスモーク層
６４…第３のＬＥＤ（光源）
【図１】
2019144343.tif 000003
【図２】
2019144343.tif 000004
【図３】
2019144343.tif 000005
【図４】
2019144343.tif 000006
【図５】
2019144343.tif 000007
【図６】
2019144343.tif 000008
【図７】
2019144343.tif 000009
【図８】
2019144343.tif 000010